(57)【要約】【課題】本発明は簡単な構造を有し、操作も便利であるケース用伸縮自在のキャスター装置を提供する。【解決手段】本発明のケース用伸縮自在のキャスター装置１０は、ケース９に対して突出するように当該ケース９の底部に配設され、内側に収容空間２が形成されている支持脚１と、前記収容空間２に枢着されるキャスターモジュール１１と、前記キャスターモジュール１１の伸ばし及び戻しを制御するロック装置１２と、を含む。キャスターモジュール１１はキャスター本体３と、二つのスルーホール４１ａ，４１ｂが部分的に重なるように並べて形成され、前記キャスター本体３と連結する弾性を備えてなる連結部４と、を含む【選択図】  図１
2015168418.tif 000002
【特許請求の範囲】
【請求項１】
ケースに対して突出するように当該ケースの底部に配設され、内側に収容空間が形成されている支持脚と、
前記収容空間に枢着されるキャスターモジュールと、
前記キャスターモジュールの伸ばし及び戻しを制御するロック装置と、
を含むことを特徴とするケース用伸縮自在のキャスター装置。
【請求項２】
前記キャスターモジュールはキャスター本体と、二つのスルーホールが部分的に重なるように並べて形成され、前記キャスター本体と連結する弾性を備えてなる連結部と、を含むことを特徴とする請求項１に記載のケース用伸縮自在のキャスター装置。
【請求項３】
前記ロック装置は、前記連結部の前記キャスター本体が連結される側の反対側に配設された溝の側壁部と、前記収容空間に固設されているとともに、前記スルーホールの一つに嵌め込まれて挿設されるための枢軸が固設されている取付け板と、前記収容空間の底部に形成されているとともに前記取付け板の両側に位置する位置決め穴と、弾性を有しているとともに前記収容空間の側壁に配設されて前記キャスター本体の戻し軌道に位置する位置止めブロックと、を含むことを特徴とする請求項２に記載のケース用伸縮自在のキャスター装置。
【請求項４】
前記キャスター本体はユニバーサルジョイントを介して前記連結部と連結されていることを特徴とする請求項２に記載のケース用伸縮自在のキャスター装置。
【発明の詳細な説明】
【技術分野】
【０００１】
本発明はキャスター装置に係わり、特に簡単な構造を有し、操作も便利であるケース用伸縮（突出および収容）自在のキャスター装置に関する。
【背景技術】
【０００２】
従来のケースは運搬時の便利性を向上させるため、ケース底部に二つまたは四つのキャスターが配設されている。例えば、特開２００３−１４６００３号公報には、スーツケース用のキャスターが開示されている（特許文献１）。
【先行技術文献】
【特許文献】
【０００３】
【特許文献１】特開２００３−１４６００３号公報
【発明の概要】
【発明が解決しようとする課題】
【０００４】
しかしながら、従来のキャスター部分は、ケースから突出したままであり、その突出状態とケースに収容される収容状態との間で伸縮不能であるため、外力がない場合はケースを特定位置にしっかり固定して放置することが困難になる。そのため、従来のケースのキャスター部分に対して構造上の改良が必要とされている。
【０００５】
従来技術の課題を解決するため、本発明は簡単な構造を有し、操作も便利であるケース用伸縮自在のキャスター装置を提供する。
【課題を解決するための手段】
【０００６】
本発明は前記技術的な問題を解決するため下記の技術手段を採用する。
【０００７】
本発明に係るケース用伸縮自在のキャスター装置は、ケースに対して突出するように当該ケースの底部に配設され、内側に収容空間が形成されている支持脚と、前記収容空間に枢着されるキャスターモジュールと、前記キャスターモジュールの伸ばし及び戻しを制御するロック装置と、を含む。
【０００８】
また、本発明の一態様として、前記キャスターモジュールはキャスター本体と、二つのスルーホールが部分的に重なるように並べて形成され、前記キャスター本体と連結する弾性を備えてなる連結部と、を含む。
【０００９】
さらに、本発明の一態様として、前記ロック装置は、前記連結部の前記キャスター本体が連結される側の反対側に配設された溝の側壁部と、前記収容空間に固設されているとともに、前記スルーホールの一つに嵌め込まれて挿設されるための枢軸が固設されている取付け板と、前記収容空間の底部に形成されるとともに前記取付け板の両側に位置する位置決め穴と、弾性を有しているとともに前記収容空間の側壁に配設されて前記キャスター本体の戻し軌道に位置する位置止めブロックと、を含む。
【００１０】
また、本発明の一態様として、前記キャスター本体はユニバーサルジョイントを介して前記連結部と連結されている。
【発明の効果】
【００１１】
本発明は、ケースの底部に伸縮自在のキャスター装置を配設することにより、ケースを運搬する時はキャスター装置を伸ばして突出させ、キャスターの滑りを利用して運搬の便利化を図ることができる。一方、ケースを特定位置に固定して放置しようとする場合、キャスター装置を伸ばし状態から戻して収容し、支持脚を介して滑ったり傾いたりすることなくケースをしっかり固定させることができる。本発明のケース用伸縮自在のキャスター装置は、簡単な構造を有し、操作も便利である。
【図面の簡単な説明】
【００１２】
以下は図面と実施形態を参照して本発明について詳しく説明する。
【図１】本発明に係るケース用伸縮自在のキャスター装置をケースに取付けた状態で下方から見た図である。
【図２】本発明に係るケース用伸縮自在のキャスター装置において、収容状態のキャスターモジュールを示す分解斜視図である。
【図３】本発明に係るケース用伸縮自在のキャスター装置において、突出状態のキャスターモジュールを示す分解斜視図である。
【図４】本発明に係るキャスターモジュールと取付け板の分解斜視図である。
【発明を実施するための形態】
【００１３】
図１〜図４を参照し、本発明のケース用伸縮自在のキャスター装置１０は、ケース９に対して突出するように当該ケース９の底部に配設され、内側に収容空間２が形成されているる支持脚１と、前記収容空間２に枢着されるキャスターモジュール１１と、前記キャスターモジュール１１の伸ばし（突出状態）及び戻し（収容状態）を制御するロック装置１２と、を含む。
【００１４】
本発明は、ケース９の底部に伸縮自在のキャスター装置１０を配設することにより、ケース９を運搬する時は、図３に示すように、キャスター装置１０を伸ばして突出させ、キャスターの滑りを利用して運搬の便利化を図ることができる。一方、ケース９を特定位置に固定して放置しようとする場合、図２に示すように、キャスター装置１０を伸ばし状態から戻して収容空間２内に収容し、支持脚１を介して滑ったり傾いたりすることなくケース９をしっかり固定させることができる。本発明のケース用伸縮自在のキャスター装置１０は、簡単な構造を有し、操作も便利である。
【００１５】
また、本発明の一態様として、前記キャスターモジュール１１は、図４に示すように、キャスター本体３と、二つのスルーホールである収容用スルーホール４１ａと突出用スルーホール４１ｂとが部分的に重なるように並べて形成され、ユニバーサルジョイント１３を介して前記キャスター本体３と連結する弾性を備えてなる連結部４と、を含む。前記ロック装置１２は、前記連結部４の前記キャスター本体３が連結される側の反対側に配設された溝４２の側壁部４２ａ，４２ａと、前記収容空間２に固設されているとともに、前記収容用スルーホール４１ａまたは前記突出用スルーホール４１ｂの一つに嵌め込まれて挿設されるための枢軸８が固設されている取付け板５と、前記収容空間２の底部に形成されているとともに前記取付け板５の両側に位置する一対の位置決め穴６，６と、弾性を有しているとともに前記収容空間２の側壁２ａに配設されて前記キャスター本体３の戻し軌道に位置する位置止めブロック７と、を含む。
【００１６】
上記構造を採用する本発明のケース用伸縮自在のキャスター装置１０の作動原理は、キャスターモジュール１１を収容空間２に戻して収容状態にする場合、図２に示すように、枢軸８はキャスター本体３から遠い方の収容用スールホール４１ａに嵌め込まれて挿設され、位置止めブロック７はキャスターモジュール１１を外側へ伸ばさないように固定する。一方、キャスターモジュール１１を伸ばして突出状態にする場合、図３に示すように、外力を介して、連結部４をケース９の底部と垂直になるように枢軸８回りに回転させ、そして連結部４を下へ押圧することにより、枢軸８が上へ移動しもう一つの突出用スルーホール４１ｂに嵌め込まれて挿設されるとともに、溝４２の側壁部４２ａ，４２ａは位置決め穴６，６に挿入されて、連結部４が回転不能になる。この時はキャスターモジュール１１が垂直状態に固定され、キャスターの滑りを利用してケース９を運搬することができる。キャスターモジュール１１を戻して収容状態にする場合、連結部４を外側方向へ引っ張ることにより、枢軸８が下へ移動しもう一つの収容用スルーホール４１ａに嵌め込まれて挿設されるとともに、溝４２の側壁部４２ａ，４２ａは位置決め穴６，６から脱出し、そして連結部４を枢軸８回りに回転させてキャスターモジュール１１を収容空間２に戻す。この時は支持脚１を介してケース９をしっかり特定位置に固定させることができる。
【００１７】
本発明は前記実施形態に限られるものではなく、他の実施形態を採用することもできる。当業者であれば本発明の趣旨を逸脱しないことを前提として同等な修正または変更を実施することが可能であるが、それらの同等な修正または変更はいずれも本発明の請求の範囲が限定する範囲内に含まれるものとする。
【符号の説明】
【００１８】
１  支持脚
２  収容空間
２ａ  側壁
３  キャスター本体
４  連結部
５  取付け板
６  位置決め穴
７  位置止めブロック
８  枢軸
９  ケース
１０  キャスター装置
１１  キャスターモジュール
１２  ロック装置
１３  ユニバーサルジョイント
４１ａ  収容用スルーホール
４１ｂ  突出用スルーホール
４２  溝
４２ａ  側壁部
【図１】
2015168418.tif 000003
【図２】
2015168418.tif 000004
【図３】
2015168418.tif 000005
【図４】
2015168418.tif 000006